(57)【要約】エンジン（1）の回転部分（２、３）の回転速度及び角度位置が連続的に測定され、エンジンの再始動を容易にする所定の位置でエンジンを停止させるために、燃料噴射が回転部分（２、３）の所定の速度及び角度位置値で遮断される。始動器（４）を使用してエンジンを再始動させるために、燃料は、シリンダ内で運動するピストンが決定された位置にあるときにエンジンの少なくとも１つのシリンダ内へ噴射される。火花点火及び（又は）燃料噴射はエンジン（１）の回転部分（２、３）の所定の速度及び角度位置値で中断され、燃料は再始動前のエンジンの最後の回転中にエンジン（１）の少なくとも１つのシリンダ内へ噴射される。エンジンを再始動させるために、点火は、エンジン（１）の停止時の瞬間に圧縮位置にあるピストンを持つ少なくとも1つのシリンダ内で実行される。
2004537673.tif 000002
【特許請求の範囲】
【請求項１】
少なくとも１つのシリンダ（Ｃ１、Ｃ２、Ｃ３、Ｃ４）を有し、ピストン、シリンダに連通する燃料入口マニホルド、及び連接棒を介してピストンにより回転するように設定された回転部分（２３）がシリンダ内で運動する、間接噴射及び火花点火を伴う内燃エンジン（１）を停止及び再始動させる方法であって、
エンジン（１）のピストン及び回転部分（２３）の回転速度及び位置が連続的に測定され、燃料噴射が、所定の位置でピストン及び回転部分を停止させるために、エンジン（1）の回転部分（２３）の所定の速度及び角度位置値において遮断され、
エンジンが所定の位置で停止する前のエンジン（１）の最後の回転中に、吸入相において、燃料フィードストックがシリンダ（Ｃ１）の入口マニホルド内へ噴射され、
エンジンの再始動時に、エンジンが停止した後に、エンジンの回転部分（２３）を回転状態に設定することにより、シリンダ（Ｃ１）の圧縮相の履行が特定され、フィードストックの点火が圧縮相においてシリンダ（Ｃ１）内で実行され、
消費及び流出を適正化し、始動中のエンジン（１）の超過速度を制限するために、少なくとも１つのシリンダ（Ｃ１、Ｃ２、Ｃ３、Ｃ４）における連続するフィードストックの噴射及び点火が所定の順番に従って実効され、始動の質を改善することを特徴とする方法。
【請求項２】
前記エンジン（１）の回転部分（２、３）の速度及び角度位置が、エンジン（１）のクランクシャフト（２）と一体のはずみ車（３）の速度及び角度位置を感知する少なくとも１つのセンサ（７）を使用して測定されることを特徴とする請求項１の方法。
【請求項３】
前記エンジン（１）の回転部分（２、３）の回転速度及び角度位置が連続的に測定され、
エンジン（１）の再始動を容易にする所定の位置でエンジンの可動部分（２、３）を停止させるために、点火及び（又は）燃料噴射がエンジン（１）の回転部分（２、３）の所定の速度及び角度位置値で中断されることを特徴とする請求項１及び２のいずれか１項の方法。
【請求項４】
前記エンジン（１）の回転部分（２、３）の速度及び角度位置が、エンジン（１）のクランクシャフト（２）及び（又は）エンジン（１）の弁を制御するカムシャフトと一体のはずみ車（３）の速度及び角度位置を感知するセンサを使用して決定されることを特徴とする請求項３の方法。
【請求項５】
前記エンジンが、エンジン（１）の組立体（２、３）の１／４回転以内で、及び、停止前の最後の回転中に噴射が実行されない場合は５／４回転内に再始動されることを特徴とする請求項１の方法。
【請求項６】
列となった複数のシリンダ（Ｃ１、Ｃ２、Ｃ３、Ｃ４）好ましくは４シリンダを有するエンジンの場合、再始動に先立つエンジンの停止前の最後の回転中、燃料フィードストックが、エンジンの停止前の最後の回転中に吸入位置にありかつ停止の瞬間に圧縮位置にあるピストンを持つエンジンのシリンダ（Ｃ１）の入口マニホルド内に噴射され、かつ、停止の瞬間に吸入相にあるエンジンの第2のシリンダ（Ｃ３）内へ噴射されることを特徴とする請求項１乃至５のいずれか１項の方法。
【請求項７】
前記エンジンを再始動させるために、点火が、エンジン（１）の停止時の瞬間に圧縮位置にあるピストンを持つシリンダ（Ｃ１）内で、次いで、エンジン（１）の停止時の瞬間に吸入位置にあるピストンを持つシリンダ（Ｃ３）内で実行されることを特徴とする請求項１乃至４のいずれか１項の方法。
【請求項８】
再始動中に実行すべき順番の噴射及び点火が精確に較正され、順番の噴射及び点火が較正から得られた値に従って実行されることを特徴とする請求項１乃至７のいずれか１項の方法。
【請求項９】
前記シリンダ（Ｃ１、Ｃ２、Ｃ３、Ｃ４）内へ順番に噴射すべき燃料の量及びエンジン（１）の再始動中の点火角度が、較正から決定されることを特徴とする請求項８の方法。
【発明の詳細な説明】
【技術分野】
【０００１】
本発明は間接噴射を伴う内燃エンジンを停止及び再始動させる方法に関する。
【背景技術】
【０００２】
内燃エンジンは、シリンダ内で往復運動できる少なくとも１つのピストンを有し、一般的には、各々がシリンダ内に可動に装着された複数の装着ピストンを有する。前者のピストン及び後者の各々のピストンは、シャフトのまわりでクランクシャフトを回転駆動する連接棒を介してクランクシャフトに接続される。
【０００３】
エンジンの運動部分、即ちピストン及びクランクシャフトが停止してしまった後の熱エンジンの再始動の状態は、運動部分の停止位置に大いに依存する。エンジンを再始動させるのに必要なパワーは、例えば、最小値と最小値よりも３０％大きい最大値との間で変化することができる。更に、（例えば、クランクシャフトの回転数に関して計算される）エンジンを再始動させるのに必要な時間も、火花点火エンジン及び圧縮点火エンジンの両方の場合において、エンジンの停止状態に大いに依存する。
【０００４】
インライン（in-line; 列）式の4気筒（cylinder）エンジンの場合、4つの可能なエンジン停止位置があり、この場合、ピストンの位置はこれらのピストンの上死点と下死点との間で異なる。従って、４気筒エンジンの停止位置は１８０°内で即ちクランクシャフトの位置に関して半回転内で画定される。更に、これらの停止位置のまわりで、エンジンの運動部分の摩擦は数十度（例えば、３０°）程度のばらつきを生じさせる。エンジンの停止点のこのようなばらつきは、シリンダ内の不完全燃焼のため、始動中の不規則、かなりの始動時間及び汚染を招く。
【０００５】
補助の電気機械を使用して、エンジンの運動部分の位置をエンジンの停止中に制御し又はエンジンが停止してしまった後に修正すべきであることが提案されている。それ故、特殊な電気機械及びエンジンをその停止位置で制動するか又は停止位置へ戻す手段を使用することが必要である。間接噴射即ちエンジンの入口マニホルド内への燃料の噴射を伴う近代設計のエンジンの場合、シリンダ内のピストンの位置と燃料噴射とを同期させるコンピュータの如き特に精確で敏感な手段がある。しかし、これらのエンジン噴射装置及びこれらの制御手段は決定された位置でのエンジンの停止および再始動を制御するために今まで使用されていなかった。
【０００６】
間接噴射（即ちシリンダの入口マニホルド内への噴射）及び火花点火を伴うエンジンの場合、始動時間は比較的長い（一般に、０．５秒以上）。近代車両のエンジンコンピュータは、停止してしまった後にエンジンを制御する通常の運転状態に達する前に、一連の高精度の段階を通らねばならない。この処理に使われる時間は始動時間を大幅に増大させ、この時間はキャブレター及び接点ブレーカを有する普通の装置で実行される始動よりも一般に一層長くなる。各始動において、近代車両のコンピュータは噴射及び点火を同期させ、次いでエンジンを噴射し最後に制御する順番を与えなければならない。
【０００７】
更に、マニホルド内への最初の噴射が同期しないので、この処理は汚染を生じさせる；噴射はすべて又はほぼすべてのシリンダで実行される；石油フィードストック（feedstock;原料油）は解放され、従って排気ラインに位置する触媒を実質上損傷させ及び（又は）汚染を生じさせる。特に、交通状態の関数として車両を停止及び再始動させるために自動車のコンピュータにより自動的に履行されるいわゆる「停止及び始動」動作を履行するために、始動時間を減少させ、近代エンジンの汚染流出を制限する必要があるように思われる。特に、車両が停止した場合、例えば、停止した車両の列となるので、コンピュータはエンジンの停止を制御し、次いで、車両が再度動き出すことができるようになったときにその再始動を制御する。
【０００８】
この場合、エンジンは一般に短期間だけ停止するので、エンジンが暖かい間に始動が実行され、排気ガス内に付加的な汚染を生じさせない、火花点火エンジンに対して極めて迅速な高温再始動条件を得ることが必要である。
【発明の開示】
【発明が解決しようとする課題】
【０００９】
それ故、本発明の目的は、少なくとも１つのシリンダを有し、ピストンと、シリンダに連通する燃料入口マニホルドと、極めて迅速な高温再始動の実行を許容しかつ排気ガス内にいかなる付加的な汚染をも生じさせない、連接棒を介してピストンにより回転するように設定された回転部分とが、シリンダ内で運動するような、間接噴射及び火花点火を伴う内燃エンジンを停止及び再始動させる方法を提供することである。
【課題を解決するための手段】
【００１０】
この目的のため、
−  エンジンのピストン及び回転部分の回転速度及び位置が連続的に測定され、燃料噴射が、所定の位置でピストン及び回転部分を停止させるために、エンジンの回転部分の所定の速度及び角度位置値において遮断され、
−  エンジンが所定の位置で停止する前のエンジンの最後の回転中に、吸入相において、燃料フィードストックがシリンダの入口マニホルド内へ噴射され、
−  エンジンを再始動するために、エンジンが停止した後に、エンジンの回転部分を回転状態に設定することにより、シリンダの圧縮相の履行が特定され、フィードストックの点火が圧縮相においてシリンダ内で実行され、
−  消費及び流出を適正化し、始動中のエンジンの超過速度を制限するために、少なくとも１つのシリンダにおける連続するフィードストックの噴射及び点火が所定の順番に従って実効され、始動の質を改善する。
【００１１】
再始動を実行するため、本発明によれば、迅速な高温始動動作の展開中に決定される所望量の燃料がシリンダ内へ噴射される。
【発明を実施するための最良の形態】
【００１２】
本発明の理解を容易にするため、本発明に係る火花点火及び間接噴射を伴う内燃エンジンを停止及び再始動させる方法を例として説明する。図1は、例えば、インライン式の４シリンダエンジンである熱エンジン１を概略的に示す。エンジン１は（ここではＣ１、Ｃ２、Ｃ３、Ｃ４として参照する）4つのエンジンを有し、各エンジン内では、一端ではずみ車３と一体になったクランクシャフト２に連接棒を介して接続されたピストンが運動する。
【００１３】
交互運動を伴うピストン、連接棒、クランクシャフト２及び回転状態に設定できるはずみ車３はエンジン１の可動部分のすべてを表す。
エンジン１は電気モータ又は可逆同期発電機で構成することのできる始動器４を有する。始動器４は自動車のバッテリーからの始動器４の給電を確立又は遮断できる制御要素４７′を有する。エンジン１はエンジンの各シリンダの入口マニホルド内への燃料の間接噴射を伴うエンジンである。インゼクタは噴射をエンジン１の可動要素の変位と同期させることのできる電子制御箱５により制御される。
【００１４】
エンジン1を設置した自動車は自動車特にエンジン１を監視及び制御するための種々の機能を遂行させることのできるコンピュータ６を有する。特に、コンピュータ６は、燃料の噴射をピストンの位置と同期させ、所望の位置でエンジンを停止させるようにシリンダの入口マニホルド内への燃料の噴射を所望の量で停止させるように、エンジンのシリンダ内への燃料の噴射を制御する箱５に接続される。
【００１５】
センサ７（又は複数のセンサ）ははずみ車３の近傍に配置され、エンジンの瞬間的な回転速度を測定し、任意の与えられた瞬間で、エンジン１のインライン式シリンダの内部の各ピストンの画定された位置に対応するはずみ車３及びクランクシャフト２の角度位置を決定する。センサ７からの情報はコンピュータ６へ伝達され、このコンピュータは、エンジンを停止させる指令があったときに、噴射を遮断する順番が箱５へ伝達されるべき精確な瞬間を決定するようにプログラムされる。
【００１６】
交通状態の関数として「停止及び始動」動作即ち自動車のエンジン１の停止及び自動的な再始動を指令するコンピュータ６の場合、コンピュータ６は始動器４の制御箱４′に接続される。火花点火エンジンの場合、点火制御箱はまたコンピュータ６に接続される。この場合、図1において、箱５はシリンダ内への燃料の噴射及びシリンダ内へ噴射された燃料の点火の双方を制御する。
【００１７】
「停止及び始動」動作の履行中、コンピュータ６は、自動車のエンジン１を停止させる順番が与えられるべきか否かを決定できる情報を受け取る。エンジンを停止させるための条件が組み合わされたとき、コンピュータ６は、センサ７の如きセンサにより伝達されたエンジンの回転部分２、３の速度及び角度位置から、燃料噴射を中断させ及び（又は）点火を中断させる順番が制御箱５へ伝達されるべき精確な瞬間を決定する。
【００１８】
コンピュータのプログラムは、エンジンの引き続きの再始動を容易にするように選択されたはっきり決まった位置でエンジンを停止させるために、噴射を中断させる順番が伝達されるべき精確な瞬間を決定できる。停止位置はエンジンの後の再始動を考慮してコンピュータに記憶される。火花点火エンジンの場合、点火の中断及び燃料噴射の中断は同時に制御できる。
【００１９】
燃料噴射及び点火はまた別の瞬間に中断することができる。従って、シリンダ及び排気ライン内での未燃焼燃料の生成は回避でき、このため、排気ガス汚染を減少でき、触媒容器の劣化を制限できる。
【００２０】
一般に、最適に決定された瞬間でのエンジンのシリンダ内への燃料の噴射の中断は、クランクシャフトの速度及び角度位置の関数として、特に、エンジンの停止がシリンダの噴射相の中間で達成されるのを阻止する。従って、排気ガス汚染は減少し、石油エンジンの場合の触媒容器の寿命及びジーゼルエンジンの場合の微粒子フィルタ（ＰＦ）の寿命が延びる。従って、「停止及び始動」装置の効率は大幅に改善され、自動車のエンジン制御へのこの装置の組み込みの可能性が増大する。
【００２１】
記憶されたエンジンの精確な停止位置から、再始動の瞬間に燃料をその中へ最初に噴射しなければなら乃至リンダを決定することが容易になる。それ故、従来の場合のように、排気ガス汚染を生じさせ、触媒容器（又は微粒子フィルタ）の寿命を減少させるようなすべてのシリンダへの同時供給はもはや必要でなくなる。
【００２２】
噴射される燃料の質及び最初の燃焼の点火角度は迅速な高温始動にとって特定のものである。この開ループ動作は高温始動の特定の展開により決定される。豊潤制御は汚染を阻止するためにできる限り速やかに達成される。点火角度は、特に、始動の質及び円滑性を改善するためにエンジン回復の使用を可能にする。
【００２３】
更に、図3及び図6に一層詳細に示すように、再始動は大幅に増大した規則性で極めて迅速に実行される。最後に、始動中のクランクシャフトの位置が最適に決定されて知られているという事実は理想的な特性を有する電気始動機械の選択を可能にする。
【００２４】
図２は、従来技術の場合（上方の曲線８）及び本発明の場合（下方の曲線１０）のクランクシャフトの角度位置及びエンジンの停止相の関数としてエンジンの回転速度を図式的に示す。従来技術の場合、停止は２つの範囲９、９’内で実行でき、クランクシャフトの角度位置は３０°にわたって、中心位置のいずれかの側へ延びる。従って、理論的な停止位置のいずれかの側での３０°の不正確さを伴う２つの停止可能性、即ち１エンジンサイクルにわたって、相（phase;段階）により４つの異なる位置がある。本発明の場合（下方の曲線１０）、停止は、クランクシャフトの角度位置の単一の範囲１１内で実行できる。
【００２５】
図3に示すように、従来技術（図の上方部分）により制御される停止の後のエンジンの再始動中、エンジンの可動要素の実際の停止位置に従って、２乃至６の範囲のエンジンの運動する回転部分「trs」の多数の回転の後に、エンジンを停止させることができる。
【００２６】
本発明に従ってプログラムされ、決定された停止の場合、はっきり決定されたシリンダ内への燃料の噴射による再始動は、始動即ちエンジンのシリンダ内での最初の燃焼がクランクシャフトのほぼ１／４回転内で達成されるのを可能にする。停止前の最後の回転中に噴射が無い場合、始動は５／４回転内で実行される。従って、本発明に係る方法は始動器の使用を大幅に減少させることができ、再始動を加速でき、排気ガス汚染を少なくする。
【００２７】
火花点火エンジンの場合、エンジンの迅速高温再始動について、例えば「停止及び始動」形式の作動においては、エンジンの可動要素のプログラムされた停止位置を得るために、本発明に係るエンジンの停止を制御する方法が使用され、この位置は自動車のコンピュータに記憶される。
【００２８】
エンジンの停止は、燃料噴射の中断及び（又は）点火の中断により制御され、これは、同時又は異なる瞬間での2つの対応する遮断順番を与えることを可能にする。更に、エンジンが停止したとき、その停止前の最後の回転中に、エンジンの再始動を準備するために、吸入相において、燃料フィードストックがエンジンのシリンダの入口マニホルド内へ噴射される。この噴射は、エンジンの回転部分、それ故、シリンダ（単数又は複数）内のピストン（単数又は複数）の最初にはっきり決定された位置において、精確な方法で実行される。エンジンのはっきり決定されたシリンダの入口マニホルド内への少なくとも2つの噴射も停止中に実行することができる。
【００２９】
更に、停止中のエンジンのシリンダ内へのフィードストックの噴射によりエンジンの可動要素の決定された位置での停止後の再始動を行うために、クランクシャフトと一体の物理的な標的を使用して、エンジンの運動部分の精確な位置を制御することにより、クランクシャフトの最初の回転からフィードストックの点火が実行される。従って、燃料フィードストックの点火は圧縮位置で停止したシリンダ内で、次いで吸入相で停止したシリンダ内で制御される。このような点火はエンジンの回転部分の第2のはっきり決定された位置に対応する。更に一般的には、較正された噴射及び燃料フィードストックの点火は所定の順番でエンジンのシリンダ内で順々に実行される。
【００３０】
シリンダ内への燃料の直接噴射を伴うエンジンの場合と異なり、エンジンの停止中のフィードストックの噴射は、間接噴射を伴うエンジンの場合、はっきり決定されたシリンダのマニホルド内でほぼ吸入相において実行しなければならないことに留意すべきである。噴射はまた、停止前の最後の回転においてエンジンの停止の直前に実行しなければならない。はっきり決定されたシリンダ内への定量フィードストックの噴射は燃料消費及び排気ガス内の汚染流出物の減少を可能にする。
【００３１】
図4から分かるように、クランクシャフト２と一体のはずみ車３ははずみ車３及びクランクシャフト２の共通軸線のまわりでの回転に関して互いに１８０°で位置する2つの標的１２、１２’を担持する。好ましくはホール効果センサであるセンサ７はエンジンのシリンダ内のピストンの上死点に対応する位置への標的１２、１２’の運動を検出する。
【００３２】
標的の運動中、センサ７は、極めて短い時間にわたって、シリンダ内で点火を実行するコイルの１つの付勢を制御し、シリンダ内で点火を生じさせる。従って、エンジンの精確な停止位置が得られ、点火を実行しなければならない圧縮時の第1のシリンダが決定されるので、点火は、エンジンが再始動のために回転状態に設定された後の極めて短い間圧縮時にシリンダ内で行われる。圧縮時の第1のシリンダ内での点火はクランクシャフトの１／４回転以内の後に実行される。
【００３３】
エンジンの停止中の燃料の噴射は消費及び排気ガス汚染を制限するような方法で実行することができる。事実、エンジンを停止させる順番の後にすべてのシリンダ内へ燃料を噴射することは必須ではなく、エンジンを迅速に再始動させるのに役立つシリンダのみ即ち実質的には圧縮相で停止したピストンを持つシリンダ、随意には吸入相で停止したピストンを持つシリンダ内へ噴射する。所望のシリンダ内へ燃料を噴射するための好都合な運動は停止中のエンジン速度のための図1、４に示すセンサ７とすることのできる適当なセンサにより実行される測定から推測することができる。
【００３４】
エンジンを再始動させる瞬間で点火を制御するために、エンジンのカムシャフト上に４つの標的を配置し、測定すべき標的の運動を許容する位置にホール効果センサを配置することも可能である。カムシャフトの標的の運動のためのホール効果センサは好ましくはエンジンのシリンダ内の相を決定するために使用され、クランクシャフトと一体のはずみ車に関連するホール効果センサは好ましくは始動を実行するシリンダ内の点火を制御するために使用される。
【００３５】
図5の論理図の左半分側での卵形形状はエンジンの運転の種々の相を示し、論理図の中央部分の矩形はエンジンの要素上で遂行される作用を示し、論理図の右半分における菱形はエンジンを停止及び始動するためにコンピュータにより遂行される作用を示す。図5の論理図は、「停止及び始動」動作を実行するように、停止及び始動のために設計された。クランクシャフトと一体のはずみ車の近傍に配置した誘導センサは点火及び所望のシリンダ内への燃料の噴射を制御するために使用され、カムシャフトと一体の4つの標的の運動のためのホール効果センサはエンジンの相を認識するために使用される。
【００３６】
論理図の左半分における卵形形状に対応するエンジンの種々の状態は符号１３乃至１８により特定され、これらの符号は次の作用に対応する：
１３：  エンジンがアイドル速度で回転する、
１４：  エンジンがそのアイドル速度から減速する、
１５：  エンジンが停止した、
１６：  エンジンがその最初の回転を始める、
１７：  エンジンの加速、
１８：  エンジンが始動した。
【００３７】
エンジン要素において遂行される対応する機能は矩形形状１９乃至２４内で示され、その意味は次の通りである：
１９：  エンジンの点火及び噴射の遮断、
２０：  エンジンの停止相の推測及びエンジンの最後の回転中の燃料の噴射、
２１：  始動器の制御、
２２：  圧縮相で停止したシリンダＣ１内での点火、
２３：  吸入相で停止したシリンダＣ３内での点火、
２４：  エンジンの点火のための標準作動へのコンピュータの移行。
【００３８】
菱形形状２５乃至３０内に示す、コンピュータにより遂行される作用は次の通りである：
２５：  「停止及び始動」動作を実行するために、エンジンを停止させるコンピュータの決定、
２６：  はずみ車に関連するセンサの測定から、次いで、エンジンの最後の回転においてカムシャフトに関連するセンサから、エンジン速度の変化を計算、
２７：  「停止及び始動」動作を実行するために、エンジンを再始動させるコンピュータの決定、
２８：  カムシャフトに関連するセンサの前面の標的の運動時にコイルの付勢の開始及び排気相におけるシリンダＣ４のマニホルド内への燃料の噴射の開始、
２９：  前進及びエンジン内への普通の噴射の計算への移行、
３０：  クランクシャフトに関連するセンサでのコンピュータの同期化の検査。
【００３９】
図5の論理図及び以下の表１、２、３は、「停止及び始動」動作を実行するための最適な状態で、火花点火エンジンを停止及び再始動させるために本発明に係る方法の履行を説明する。シリンダ内での工程の順番は表１、２、３に示し、略語は次の意味を持つ：
Ｉｎｔ    吸入
Ｉｎｊ    噴射
Ｅｘｈ    排気
Ｃｏｍｐ  圧縮
Ｃｏｍｂ  燃焼
Ｒｅｌ    解放
Ｉ        点火
ＣＳｔ    エンジンの完全停止。
【００４０】
表１はエンジンの通常の運転中の各シリンダの工程順番を示す。
【００４１】
【表１】
2004537673.tif 000003
【００４２】
シリンダの点火順番は次の通りである：Ｃ１、Ｃ３、Ｃ４、Ｃ２、Ｃ１等。自動車が停止し、エンジンがアイドル速度で回転しているとき、コンピュータは「停止及び始動」動作を実行するためにエンジンの停止を決定する。コンピュータは（随意には異なる瞬間で）点火及び噴射の遮断を制御する。エンジンはアイドル速度から減速し、エンジンが停止したときには、コンピュータはエンジンの速度の変化及び停止位置を決定する。
【００４３】
エンジンの最後の回転中に、燃料の単一の噴射がシリンダの少なくとも１つ内へ実行され、2つの燃料フィードストックが圧縮状態で停止したピストンを持つシリンダ内へ及び吸入相で停止したピストンを持つシリンダ内へ一般に噴射される。表２はエンジンの停止相中の各シリンダＣ１、Ｃ２、Ｃ３、Ｃ４における工程の順番を示す。
【００４４】
【表２】
2004537673.tif 000004
【００４５】
エンジンの停止相中、噴射及び点火は遮断される。燃焼は無い。最後の回転中、燃料は再始動後に最初に点火を実行するシリンダ、即ち、完全な吸入相がエンジンの最後の回転中に実行され、かつ完全な停止の瞬間に圧縮相にあるシリンダＣ1及び停止の瞬間に吸入相にあるシリンダＣ３内へ噴射される。エンジンが停止してしまった後、コンピュータは「停止及び始動」動作を完了させるためにエンジンの再始動を決定する。コンピュータは始動器の供給を制御し、エンジンはその最初の回転を開始する。
【００４６】
カムシャフトのセンサ（ホール効果センサ）の前面での標的の運動中、コンピュータは圧縮状態で停止したシリンダＣ１に対応する点火コイルの付勢の開始を制御する。これと同時に、コンピュータは排気相で停止したシリンダＣ４のマニホルド内への燃料の噴射を制御する。次いで、コイルの付勢の最小時間の後（調時点火）又は標的の信号のハイからロウへの移行が特定されたときのいずれかに、点火が圧縮状態で停止したシリンダＣ１内で実行される。
【００４７】
次いで、シリンダＣ１内において圧縮状態で停止したピストンの変位によりエンジンが加速される。次いで、コンピュータはエンジンの制御のための点火及び噴射の計算の普通の方法を行い、この移行はコイルの付勢の開始時にカムシャフトのセンサの前面での標的の運動により又ははずみ車の歯列上の歯の不在を特定することによりなされる。次いで、エンジン停止の瞬間に吸入状態で停止したピストンを持つシリンダＣ３内で実行される。次いで、エンジンが始動され、標準の運転でコンピュータにより制御される。再始動相は以下の表3に示す。
【００４８】
再始動中シリンダＣ１、Ｃ２、Ｃ３、Ｃ４内で実行される工程は表３に示す。
【００４９】
【表３】
2004537673.tif 000005
【００５０】
点火はシリンダＣ1内で制御され、この場合、空気と石油との混合物は停止前に準備され、次いで圧縮され、次いでシリンダＣ３内へ入る。他のシリンダはその通常の順番を追従する。
【００５１】
本発明に係る方法の主な利点は、停止位置のばらつきが少ない状態でエンジンの停止において高度の規則性を提供することである。これは、エンジンの再始動にとって有益であり、エンジンのシリンダの相との噴射の同期を改善し、排気ガス汚染を減少させる。火花点火エンジンの場合、本発明に係る方法はクランクシャフトの最初の回転から始動の実行を可能にする。これは、「停止及び始動」動作の履行にとって極めて有益である。
【００５２】
図6は、本発明（曲線３１）に従って又は「停止及び始動」動作を履行する普通の技術（曲線３２）に従って実行される停止および再始動の場合における、高温再始動中の時間の関数としての間接噴射及び火花点火を伴うエンジンの速度の変化を示す。本発明に係る方法の場合、実質上一層低いエンジン速度レベルで一層迅速に安定した速度が達成される。従って、燃料消費及び排気物からの汚染流出物と共に、始動の瞬間でのエンジンの回転超過速度（オーバーシュート）が大幅に制限される。始動も一層円滑であり、これは、エンジンで作動する自動車における乗り心地及びエンジンの長期間メンテナンスに関してかなり重要である。
【００５３】
特に、シリンダ内へ実行される順番の噴射及び再始動の瞬間における点火の精確な較正は、振動を制限し、噴射される量及び吸入弁の開放時間を制御することにより、円滑な再始動を得ることができるようにする。噴射及び始動中の点火の精確な制御は振動を減少させることができる。本発明は上述した実施の形態に厳密に制限されない。従って、エンジンのクランクシャフト又はカムシャフトの角度位置は、任意の形式の標的及び適当なセンサを使用することにより、上述したものから異なる方法で特定することができる。
【００５４】
クランクシャフトの速度及び位置の測定は自動車内に存在する任意の手段により又は本発明の方法を実行するために使用される任意の特定の手段により実行することができる。
花火点火エンジンの場合、エンジンの停止につながる相中の噴射は特定の手段の使用を必要とする極めて特定の方法で実行しなければならない。本発明は間接噴射及び花火点火を伴う任意のエンジンに適用される。
【００５５】
火花点火エンジンの場合、エンジンは点火及び（又は）噴射を中断することにより停止させることができ、これら2つの処理を同時又は別個に実行することが可能である。再始動時に、圧縮状態のシリンダ内における精確な瞬間での及び次いで停止中の吸入位置でのシリンダ内におけるエンジン停止時の瞬間での点火制御は、再現可能な方法でクランクシャフトの最初の回転からエンジンを始動させることができる。特に、本発明は、コンピュータが自動的な方法でエンジンを停止及び再始動させるために「停止及び始動」動作の遂行を可能にするような自動車に適用される。
【図面の簡単な説明】
【００５６】
【図１】本発明に係る間接噴射及び火花点火を伴うエンジンを停止及び再始動させる方法を履行するために使用される手段を示す図である。
【図２】従来における停止の場合のエンジン及び本発明の方法に従って停止を制御されるエンジンの停止相を示す比較図である。
【図３】従来技術に従って制御されるエンジン及び本発明の方法に従って制御されるエンジンの高温再加熱相を示す比較図である。
【図４】本発明の方法に従ってエンジンの迅速再始動中に使用される火花点火エンジンのクランクシャフトの角度位置を測定する手段を示す概略図である。
【図５−１】本発明に係る火花点火エンジンを再始動させる方法の過程を示す論理図である。
【図５−２】本発明に係る火花点火エンジンを再始動させる方法の過程を示す論理図である。
【図６】本発明の方法により及び従来技術に係る方法によりエンジンの始動中に速度を増大させる曲線を示す比較図である。
【図２】
2004537673.tif 000006
【図３】
2004537673.tif 000007
【図５−１】
2004537673.tif 000008
【図５−２】
2004537673.tif 000009
【図６】
2004537673.tif 000010
【国際公開パンフレット】
2004537673.tif 000011
2004537673.tif 000012
2004537673.tif 000013
2004537673.tif 000014
2004537673.tif 000015
2004537673.tif 000016
2004537673.tif 000017
2004537673.tif 000018
2004537673.tif 000019
2004537673.tif 000020
2004537673.tif 000021
2004537673.tif 000022
2004537673.tif 000023
2004537673.tif 000024
2004537673.tif 000025
2004537673.tif 000026
2004537673.tif 000027
2004537673.tif 000028
2004537673.tif 000029
2004537673.tif 000030
2004537673.tif 000031
2004537673.tif 000032
2004537673.tif 000033
2004537673.tif 000034
2004537673.tif 000035
2004537673.tif 000036
【国際公開パンフレット（コレクトバージョン）】
2004537673.tif 000037
2004537673.tif 000038
【国際調査報告】
2004537673.tif 000039
2004537673.tif 000040
2004537673.tif 000041
2004537673.tif 000042
2004537673.tif 000043
2004537673.tif 000044